(57)【要約】【課題】  テレビ番組を録画予約する際に、その都度、新聞のテレビ欄などをさがす手間と予約登録する煩雑さがともなう上、録画予約できても、放送時刻の変更などで失敗することがあり不便である。【解決手段】  放送局が提供する、毎日及び毎週などに放送される同じジャンルの番組にそれぞれ同じ番組コードを付属する基本番組表を手掛かりに、番組コードによる１回の録画予約をすることにより、当該番組コードとその番組が放送される時に一緒に送信される番組コードとの一致により、毎回、録画の動作を確実に実施することができる。【選択図】  図１
2005033746.tif 000002
【特許請求の範囲】
【請求項１】
特定のテレビ番組を１回の録画予約により放送のたびごとに録画することを目的とした発明で、放送局は各番組の識別コード（以下、「番組コード」という。）を付属する基本番組編成表（以下、「基本番組表」という。）を提供し、録画機能内蔵型テレビ及びビデオ（以下、「録画テレビ」という。）において、その基本番組表に基づいて番組コードによる録画予約を行い、その予約した番組コードと当該番組の放送にともない送信される番組コードとの照合による一致により録画の動作を実施することを特徴とする放送の仕組みと受信装置である。
【請求項２】
請求項１記載の基本番組表に付属する番組コードは、毎日及び毎週などに放送される同じジャンルの番組についてはそれぞれ同じ番組コードを割り振り、その基本番組表を録画テレビに電子カード及びインターネットなどで転送し、当該録画テレビにおいて、番組コードによる録画予約のための登録をし、登録した番組コードと当該番組の放送にともない送信される番組コードとの照合を行い、登録した番組コードと送信される番組コードが一致したことを認識することにより録画の動作を実施することを特徴とする。
【発明の詳細な説明】
【発明の詳細な説明】
【技術分野】
【０００１】  本発明は、ニュースや天気予報、語学講座、連続ドラマなど毎日及び毎週などに放送される番組において、常に視聴したい番組の録画を１回の録画予約により、放送時刻の変更とはかかわりなく実施するために、放送局が年度当初に提供する同じジャンルの番組にそれぞれ同じ番組コードがつけられた基本番組表を手掛かりに各番組コードによる録画予約を行うとともに、その予約登録した番組コードと当該番組の放送開始にともない送信される番組コードとの照合による一致を認識することにより当該番組の録画の動作を確実にするもので、視聴者は再生操作により当該番組を随時視聴することができる。【０００２】  本発明の実施は、番組の録画・再生にとどまらず、番組の録画予約を放送予約に切り替えることにより、番組の放送開始にともなうテレビのスイッチの自動入力の動作を確実にすることを可能とするものである。
以上のごとく構成された放送の仕組みと受信装置に関するものである。
【背景技術】
【０００３】  テレビ番組は、録画・再生機能により視聴者は見たいときに番組を視聴することができるようになったが、録画予約を新聞のテレビ欄などを手掛かりにその都度行ったり予約登録の仕方がややこしかったりして録画予約に手間がかかる上、録画予約をしても放送時刻の変更などで録画に失敗することがあり不便である。
放送予約についても、録画予約と同様に手間がかかり、放送時刻の変更などで失敗することがある。
【発明が解決しようとする課題】
【０００４】  従来の録画予約は、新聞のテレビ欄などで見たい番組をさがす手間と入力に手間取り煩雑で、録画予約しても放送局の流動編成による放送時刻の変更などで失敗することがあり問題点があった。
本発明は、番組コードによる録画予約であるので、当該番組が放送されて番組コードが送信されれば、放送時刻や放送時間の変更とはかかわりなく、録画の動作を確実に実施することができる上、同じジャンルの番組にそれぞれ同じ番組コードが付属する基本番組表による録画予約であるので、放送局が番組改訂で番組コードを変更しない限り、毎日及び毎週などに放送される番組について、１度の予約登録で繰り返しての録画が可能になり、常に視聴したい番組については、その都度、テレビ欄などで予約登録する煩わしさから解放される。
放送予約についても、当該番組の放送が始まると自動的にテレビにスイッチが入り、番組をうっかりして見損なうこともなくなる。
【課題を解決するための手段】
【０００５】  上記目的を達成するために、本発明において、
イ  放送局は毎日及び毎週などに連続して放送される同じジャンルの番組にそれぞれ同じ番組コードを付属する当該年度の基本番組表を提供し、その基本番組表を録画テレビに電子カード及びインターネット、データ放送などにより転送し、録画テレビにおいて、そのデータや機能を内蔵するものとする。
ロ  録画テレビに転送された基本番組表は、テレビ画面で容易に見ることができ、それを手掛かりにタッチパネル及びリモコンによる操作により録画予約の登録ができるものとする。
ハ  録画予約の登録は、紙面などの基本番組表からもできるものとする。
ニ  放送局は番組の放送開始にともない、その番組と一緒に放送により当該番組コードを送信するものとする。
ホ  録画テレビは、録画予約の登録がされている番組コードと当該番組の放送にともない送信される、その番組コードとの照合による一致を認識することにより、内蔵しているＤＶＤなどのサーバーへの録画の動作を開始し、次の別番組の番組コードとの不一致を認識することにより録画の動作を終了するものとする。
ヘ  上記ホの番組を録画したＤＶＤなどを再生操作により随時、視聴することができるものとする。
ト  放送予約については、上記イからホまでについての録画予約の操作などを放送予約に切り替えることにより同様にテレビのスイッチ入力と切断の動作ができるものとする。
【発明を実施するための最良の形態】
【０００６】  上記のように構成された放送の仕組みと受信装置に関するものであるので、常に視聴したい番組を基本番組表の番組コードを手掛かりに、録画予約の登録を１度しておけば、毎日及び毎週などに放送される当該番組の放送開始で放送局から送信される番組コードにより、毎回、番組の録画の動作を確実に実施することができる。
この場合、録画の動作は当該番組の放送開始に合わせて放送局から番組と一緒に放送により送信される番組コードにより行われるため、放送時刻の変更や延長とは関係なく、当該番組のすべてを確実に録画することができ、このあと、録画した番組を随時再生して視聴することができる。
【実施例】
【０００７】  実施例は、１９時ニュース番組の録画予約について、図面を参照しながら説明する。
図１において、本テレビ１はテレビの受信機能などのほかに番組を録画するためのＤＶＤ記録再生装置２を内蔵する録画テレビである。
基本番組表の電子カードを電子カード読み取り装置３に挿入することによりディスプレイに表示された基本番組表４において、リモコン５によるカーソル移動６により録画する番組を選択し録画予約７の登録をする。【０００８】  図２、図３により、１９時ニュース番組の放送開始で、放送局から当該番組とともに放送で送信される当該番組コードと本テレビに予約登録された１９時ニュース番組の番組コードとの照合による一致を認識することにより、ＤＶＤへの録画の動作を開始する。
この場合、１９時ニュース番組は、曜日とは関係なくいずれも同じ番組コードが付けられているので、毎日の放送に対応しての録画が可能になる。
次の別番組の放送開始にともない送信される別番組の番組コードとの照合による不一致を認識することにより録画の動作を終了するものとする。
当該ＤＶＤは、見たいときにリモコンのニュース再生８を押すことにより、１９時ニュース番組を頭出し再生し視聴できるものとする。【０００９】  上記の実施例では、再生ボタンをニュース再生８に限定したが、複数の番組について録画予約した場合、予約番組名を画面に表示することにより、リモコンのカーソル移動によって視聴する番組を選択し、再生ボタン９を押し頭出し再生できるものとする。
【発明の効果】
【００１０】  本発明は以上のような機能をもった放送の仕組みと受信装置からなるため、
イ  本録画テレビがあるところでは、視聴者は自らの視聴習慣に合わせた１回の録画予約をするだけで、これまでより簡単で確実に毎回、番組を録画することができるので、いつでも見たいときに当該番組を視聴することができる。
ロ  インターネットで見られる放送局のニュースは、著作権の関係などで一部の映像しか見られない不便さがあるが、録画・再生視聴の定着により、インターネット・ニュースに取って代わって、リモコンのボタンひとつでテレビ放送された最新の映像情報を視聴することができる。
ハ  かつて、録画システムが発明されたとき、放送局が見せるテレビから視聴者が見たいときに見ることのできるテレビに変身と騒がれた。
その後の、録画予約の手続きの煩雑さなどで録画機能の利用は、十分に普及しているとはいえないが、本発明により視聴者主体のテレビの利用が加速することが期待できる。
【図面の簡単な説明】
【００１１】
【図１】  本発明の実施例とその効果の一部を示した図である。
【図２】  本発明の録画テレビの動作を示した構成図である。
【図３】  本発明の録画テレビの動作の常時実行中の内容を示している図である。
【符号の説明】
【００１２】  １  録画テレビ
２  ＤＶＤ記録再生装置
３  電子カード読み取り装置
４  基本番組表
５  リモコン
６  カーソルボタン
７  録画予約ボタン
８  ニュース再生ボタン
９  再生ボタン
【図１】
2005033746.tif 000003
【図２】
2005033746.tif 000004
【図３】
2005033746.tif 000005